(57)【要約】【課題】天井の隅部分に埋め込まれ、室内を明るく照らすことができる照明を提供する。【解決手段】照明１は、照明本体１１が天井の隅部分に埋め込まれて浴室ユニット等の室内を照らす。照明本体１１は、光源１３を囲繞する側壁部２２を有し、側壁部２２の周縁部が開口し、光源１３からの光を側壁部の内側面で反射して出射する。内側面は、天井の隅部分から垂下する壁の側に位置する第１内側面１４ａを有する。第１内側面１４ａは、側壁部２２の高さ方向の断面において内側に向って凹状に湾曲している。【選択図】図７
2018073697.tif 000002
【特許請求の範囲】
【請求項１】
光源を囲繞する側壁部を有し、前記側壁部の周縁部が開口し、前記光源からの光を前記側壁部の内側面で反射して出射する照明本体を備え、前記照明本体が天井の隅部分に埋め込まれて室内を照らす照明において、
前記内側面は、前記隅部分から垂下する壁の側に位置する第１内側面を有し、
前記第１内側面は、前記側壁部の高さ方向の断面において内側に向って凹状に湾曲していることを特徴とする照明。
【請求項２】
前記内側面は、前記室内の側に位置する第２内側面を有し、
前記第２内側面は、前記側壁部の高さ方向の断面において内側に向って凸状に湾曲していることを特徴とする請求項１に記載の照明。
【請求項３】
前記光源は、前記第１内側面の側に寄せて配設されていることを特徴とする請求項１または２に記載の照明。
【請求項４】
前記側壁部は、高さ方向に交差する断面が三角形状であることを特徴とする請求項１から３のいずれか１項に記載の照明。
【請求項５】
前記第１内側面は、前記側壁部の高さ方向の中途部から前記周縁部に亘って形成されていることを特徴とする請求項１から４のいずれか１項に記載の照明。
【発明の詳細な説明】
【技術分野】
【０００１】
本発明は、例えば浴室ユニット等の天井に設けられ室内を照らす照明に関する。
【背景技術】
【０００２】
照明は、机上や浴室ユニット等の室内を照らすために用いられる。浴室ユニットは、湯を溜める浴槽と、浴槽の手前側に設けた洗い場床を有し、周囲を壁パネル、上方を天井パネルで覆われている。浴室ユニットの室内には、浴槽のほか、シャワー装置、カウンターおよび鏡等の備品が設けられている。照明は、浴室ユニットの壁パネルや天井パネルに配設されており、室内を照らす。
【０００３】
例えば、特許文献１には、奥端縁同士を突き合わせる形で相対向して配設された一対の机の上方にそれぞれ配設され、机上面を照らす机上用の照明が開示されている。照明は、一方の机の上方に配設された光源の配光曲線が、光源とその光源に対応する机上面の奥端縁とを結ぶ直線上に設定されており、後方へは遠くへ広がるように設定されている。
【先行技術文献】
【特許文献】
【０００４】
【特許文献１】実開昭６１−１０２１３４号公報
【発明の概要】
【発明が解決しようとする課題】
【０００５】
ところで、浴室ユニット等の室内を照らす照明に関し、室内に居るユーザが上方を向いたときでも、照明が視界に入り難く、照明の眩しさによる不快感を抑制するために、天井の隅部分に照明を埋め込むことが考えられる。特許文献１に記載の照明では、光源が照らす机上面の方向への光の広がりが制限されている。このため、該照明を天井の隅部に配置した場合、浴室ユニット等の室内のうち、光源が照らす部分が狭くなり、照明から遠い側の室内が暗くなってしまうという問題点があった。
【０００６】
本発明は、斯かる事情に鑑みてなされたものであり、その目的とするところは、天井の隅部分に埋め込まれ、室内を明るく照らすことができる照明を提供することにある。
【課題を解決するための手段】
【０００７】
本発明に係る照明は、光源を囲繞する側壁部を有し、前記側壁部の周縁部が開口し、前記光源からの光を前記側壁部の内側面で反射して出射する照明本体を備え、前記照明本体が天井の隅部分に埋め込まれて室内を照らす照明において、前記内側面は、前記隅部分から垂下する壁の側に位置する第１内側面を有し、前記第１内側面は、前記側壁部の高さ方向の断面において内側に向って凹状に湾曲していることを特徴とする。
【０００８】
本発明にあっては、照明は、照明本体が天井の隅部分に埋め込まれて室内を照らす。照明本体は、光源を囲繞する側壁部を有し、側壁部の周縁部が開口し、光源からの光を側壁部の内側面で反射して出射する。内側面は、隅部分から垂下する壁の側に位置する第１内側面を有する。第１内側面は、側壁部の高さ方向の断面において内側に向って凹状に湾曲している。これにより、照明は、光源から出射された光が第１内側面で反射され、室内を明るく照らすことができる。
【発明の効果】
【０００９】
本発明によれば、照明は、光源から出射された光が第１内側面で反射され、室内を明るく照らすことができる。
【図面の簡単な説明】
【００１０】
【図１】実施形態に係る照明を含む浴室ユニットの外観を示す斜視図である。
【図２】天井パネルに取り付けた照明の上方から見た斜視図である。
【図３】天井パネルに取り付けた照明の下方から見た斜視図である。
【図４】透光カバーを取り外した照明の下方から見た斜視図である。
【図５】照明本体の外観を示す斜視図である。
【図６】照明の平面図である。
【図７】図６に示すＸ−Ｘ線による照明の断面図である。
【図８】照明による室内への光の出射を説明するための模式図である。
【図９】照明に保温カバーを被せた状態を説明するための模式図である。
【発明を実施するための形態】
【００１１】
以下、本発明を好適な実施の形態をもとに図１から図９を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態）
図１は実施形態に係る照明１を含む浴室ユニット１００の外観を示す斜視図である。浴室ユニット１００は、湯を溜める浴槽９０、該浴槽９０前側に設けた洗い場床９１、壁パネル９２、シャワー装置８、および照明１を有する。浴槽９０および洗い場床９１は、四方を壁パネルによって囲まれている。洗い場床９１に接する壁パネル９２には、カウンター９３および鏡９４などのユーザが身体を洗い流す際に利用する備品類が取り付けられている。天井パネル９５は、壁パネル９２および他の壁パネルの上部に連結し、浴室ユニット１００の上方を覆うように設けられている。天井パネル９５は、本発明に係る天井に相当する。また、壁パネル９２は、本発明に係る壁に相当する。尚、本発明に係る照明は、実施形態において浴室ユニットの天井に埋め込まれる照明を例に説明するが、浴室ユニットに限られることなく、例えば居室や廊下等における天井、その他の天井に埋め込まれて室内を照らす照明に適用することができる。
【００１３】
シャワー装置８は、湯水供給部８０、シャワーヘッド８１およびスライドバー装置８２を有する。湯水供給部８０は、水量調節つまみや温度調節つまみ等を有し、シャワーヘッド８１に供給する湯水の温度および水量を調節可能としている。シャワーヘッド８１は、ホース８３によって湯水供給部８０に接続されており、湯水供給部８０から湯水が供給される。シャワーヘッド８１には多数の小孔からなる吐水口が設けられており、ユーザの身体を洗い流す湯水を該吐水口から吐出する。
【００１４】
シャワーヘッド８１は、スライドバー装置８２によって上下方向に摺動可能に保持されており、ユーザの嗜好に応じて高さを調節できるようになっている。シャワー装置８は、壁パネル９２の横方向における中央部から浴室ユニット１００内側の一端部までの間に設けられている。
【００１５】
スライドバー装置８２は、壁パネル９２の上下方向における中央部やや洗い場床９１寄りの位置から天井パネル９５付近まで延びるスライドバー８２ａを有し、スライドバー８２ａ上に摺動可能に保持されるフックにシャワーヘッド８１が掛け止められる。スライドバー８２ａは、軸線が直線状、または壁パネル９２側で凸状となるように湾曲しており、上部に向かうにつれて、壁パネル９２から離れるように設けられている。
【００１６】
シャワー装置８は、スライドバー８２ａの上端部にフックを位置させることで、シャワーヘッド８１を入浴者の頭部の上方または斜め上方に高く位置させることができる。シャワーヘッド８１を高く位置させた状態で、入浴者は、立った姿勢で頭の上から湯水を浴びるオーバーヘッドシャワー浴を行うことができる。
【００１７】
照明１は、壁パネル９２の上部における天井パネル９５の隅部に埋め込まれている。照明１は、壁パネル９２におけるシャワー装置８が設けられた側と横方向に反対側の他端部の上方における天井パネル９５に配設されている。天井パネル９５は、照明１を埋設するために切り欠いた開口部７０を隅部に有する。
【００１８】
開口部７０は、可能な限り隅部に寄せて設けることで、シャワー装置８から照明１を離間させることができ、オーバーヘッドシャワー浴中に上方を向いた入浴者にとって照明１が眩しくならないようにしてある。天井パネル９５は、隅部の強度を保つために、開口部７０の縁部を残す必要があり、天井パネル９５の厚みおよび重量にもよるが、例えば数ｃｍから十数ｃｍ程度の縁部が設けられる。
【００１９】
図２は天井パネル９５に取り付けた照明１の上方から見た斜視図であり、図３は天井パネル９５に取り付けた照明１の下方から見た斜視図である。照明１は、照明本体１１および透光カバー１２を有する。照明本体１１は、天井パネル９５に設けられた開口部７０に、浴室ユニット１００の内側から挿入するようにして取り付けられている。本実施形態においては、照明本体１１を三角錐台状としているため、開口部７０は三角形状に切り欠かれている。照明本体１１の形状は三角錐台状に限らず、任意の多角形状の底面部分を有する錐台または柱状であってもよく、開口部７０は照明本体１１の底面部分の形状に合わせて天井パネル９５を切り欠いて形成される。
【００２０】
照明本体１１は、下部に設けた４本の板状のばね３０が天井パネル９５の開口部７０を押圧することによって開口部７０に保持されており、ばね３０の先端部が開口部７０の周縁部上面に張り出すことによって脱落が防止されている。
【００２１】
透光カバー１２は、白色等に着色された薄肉の樹脂製であり、照明本体１１の下面側を覆う。透光カバー１２は、平坦な三角形状に形成されており、天井パネル９５に平行に取り付けられている。透光カバー１２は、三角形状の二つの側辺部１２ａおよび１２ｂが壁パネル９２および壁パネル９２に隣接する他の壁パネルに平行に、他の一の側辺部１２ｃが浴室内を臨むように配設されている。尚、透光カバー１２の形状は、照明本体１１の形状に合わせて任意の多角形状としてもよく、また、平坦であることには多少の丸みを帯びた形状も含まれる。
【００２２】
透光カバー１２は、壁パネル９２の上部における天井パネル９５の隅部に配設されている。透光カバー１２は、壁パネル９２におけるシャワー装置８が設けられた側と横方向に反対側の他端部の上方における天井パネル９５に配設されている。
【００２３】
図４は透光カバー１２を取り外した照明１の下方から見た斜視図である。照明１は、照明本体１１の下面側に形成された三角形状に開口する光出射部１１ａを有しており、内部にＬＥＤ電球等の光源１３を有する。光源１３は、反射面を構成する三角錐台状の内側面１４によって囲繞されている。
【００２４】
内側面１４は、壁パネル９２側および壁パネル９２に隣接する壁パネル側に位置する第１内側面１４ａ、室内側に位置する第２内側面１４ｂを有する。内側面１４は、例えば白色等に着色、またはアルミ等による金属メッキ等を施すことによって、光の反射率が良い反射面とすることができる。光源１３から発せられた光は、内側面１４によって反射され、光出射部１１ａから下方に向けて出射される。
【００２５】
図５は照明本体１１の外観を示す斜視図、図６は照明１の平面図、図７は図６に示すＸ−Ｘ線による照明１の断面図である。照明本体１１は、底部２１、側壁部２２、およびフランジ部２３を有する。照明本体１１は、例えば樹脂製であり、成形により一体的に形成される。
【００２６】
底部２１は、中央部に照明本体１１の内外を貫通する貫通孔が設けられており、該貫通孔部分に電気接続部２１ａが取り付けられている。電気接続部２１ａは、照明本体１１の内側に光源１３を取り付けるためのソケット等を備え、照明本体１１の外側に突出した部分に電気供給線３２が接続されている。電気接続部２１ａは、電気供給線３２と光源１３を接続する接続回路を内部に有するが、例えば安定化回路やＡＣ／ＤＣ変換回路等の電気回路を適宜備えるものとしてもよい。
【００２７】
光源１３は、側壁部２２の高さ方向に交差する断面において、側壁部２２に囲まれた領域のほぼ中央位置に配設されている。また、光源１３は、側壁部２２の高さ方向に交差する断面において、第１内側面１４ａの側に寄せて配設されるようにしてもよい。
【００２８】
電気供給線３２は、底部２１の外側において電気接続部２１ａに接続されており、照明本体１１の側方に向って延びる。底部２１は、電気供給線３２の端部および電気接続部２１ａを保護するための保護壁２４を有する。保護壁２４は、電気供給線３２の端部および電気接続部２１ａを囲繞するように底部２１から外側上方に向って立ち上がっており、電気供給線３２が延びる側が開口したＵ字状をなす。
【００２９】
また、底部２１は、側辺部において照明本体１１の内外に貫通する複数の貫通孔２５を有する。貫通孔２５は、壁パネル９２側および壁パネル９２に隣接する壁パネル側に位置する側辺部に設けられている。
【００３０】
側壁部２２は、底部２１の側辺部から立ち上がり、光源１３を囲繞するように設けられている。側壁部２２は、壁パネル９２側および壁パネル９２に隣接する壁パネル側に位置する略直角に屈曲した第１側壁部２２ａ、および室内側に位置する第２側壁部２２ｂを有し、高さ方向に交差する断面が三角形状となっている。側壁部２２は、下方側の周縁部で開口しており、該開口した部分が光出射部１１ａとなっている。
【００３１】
第１側壁部２２ａは、高さ方向の中途部において、傾きが変化している。第１側壁部２２ａは、高さ方向の中途部から底部２１側が底部２１に対して直角からやや外側に開いた一定の傾斜角を有している。第１内側面１４ａは、側壁部２２の高さ方向の中途部から底部２１側が、側壁部２２の高さ方向の断面において底部２１に対して直角からやや外側に開いた直線状となっている。
【００３２】
一方、第１側壁部２２ａは、高さ方向の中途部から光出射部１１ａ側が内側に向って凹状に湾曲している。第１内側面１４ａは、側壁部２２の高さ方向の中途部から光出射部１１ａに亘って、側壁部２２の高さ方向の断面において内側に向って凹状に湾曲している。また、第１側壁部２２ａは、高さ方向の中途部から光出射部１１ａ側に向かうにつれて、外側に広がる、末広がり状となっている。第１内側面１４ａは、側壁部２２の高さ方向の中途部から光出射部１１ａ側に向かうにつれて、外側に広がる、末広がり状となっている。
【００３３】
第２側壁部２２ｂは、高さ方向の中途部において、傾きが変化している。第２側壁部２２ｂは、高さ方向の中途部から底部２１側が底部２１に対して直角からやや外側に開いた一定の傾斜角を有している。第２内側面１４ｂは、側壁部２２の高さ方向の中途部から底部２１側が、側壁部２２の高さ方向の断面において底部２１に対して直角からやや外側に開いた直線状となっている。
【００３４】
一方、第２側壁部２２ｂは、高さ方向の中途部から光出射部１１ａ側が内側に向って凸状に湾曲している。第２内側面１４ｂは、側壁部２２の高さ方向の中途部から光出射部１１ａに亘って、側壁部２２の高さ方向の断面において内側に向って凸状に湾曲している。また、第２側壁部２２ｂは、高さ方向の中途部から光出射部１１ａ側に向かうにつれて、外側に広がる、末広がり状となっている。第２内側面１４ｂは、側壁部２２の高さ方向の中途部から光出射部１１ａ側に向かうにつれて、外側に広がる、末広がり状となっている。
【００３５】
第２側壁部２２ｂは、照明本体１１の内外に貫通する複数の貫通孔２６を高さ方向の中途部に有する。貫通孔２６は、光源１３の発熱部分の側方やや底部２１寄りの位置に設けるとよい。光源１３の発熱によって暖められた照明本体１１内の空気は、底部２１の側辺部に設けられた貫通孔２５を通して外部へ排気され、照明本体１１内の温度上昇を抑制する。貫通孔２６は、貫通孔２５よりも下方側に位置するため、貫通孔２５からの排気に伴う吸気孔として機能するが、照明本体１１内への吸気がこれらの貫通孔以外の隙間等によって行われる場合には、貫通孔２５と同様に外部への排気孔として機能させることもできる。
【００３６】
フランジ部２３は、側壁部２２の下部の全周において側方に張り出している。フランジ部２３は、天井パネル９５の開口部７０よりも外側に広い。フランジ部２３の上面は、天井パネル９５の開口部７０の周縁部の下面に対向し、照明本体１１が取り付けられた状態で、開口部７０の周縁部の下面に接触する。
【００３７】
フランジ部２３の上面には、全周に亘って、パッキン３１が配設されている。パッキン３１は、弾性を有する例えば軟質樹脂製であり、断面が例えば矩形状である１本の直線状の部材である。パッキン３１は、フランジ部２３の上面と、開口部７０の周縁部の下面とに接触し、開口部７０における隙間を塞いでいる。
【００３８】
次に、浴室ユニット１００および照明１の動作について説明する。シャワー装置８は、フックをスライドバー８２ａの上端部に位置させてシャワーヘッド８１を高く位置させた状態で、入浴者は、立った姿勢で頭の上から湯水を浴びるオーバーヘッドシャワー浴を行うことができる。入浴者がオーバーヘッドシャワー浴中に顔に湯水をかけるために上方を向いたとき、視線の方向は概ねシャワーヘッド８１の方向に向けられるが、明るく光る照明１の透光カバー１２が、入浴者の目から遠い天井パネル９５の隅部にあるため、照明１の眩しさを抑制することができる。
【００３９】
また、透光カバー１２は、平坦状であるため、壁パネル９２を広く利用することができ、さらには清掃作業が容易となる。また、透光カバー１２は、三角形状であるため、側辺部１２ｃが壁パネル９２から隣接する壁パネル側に向かう直線状に形成されている。このため、隣接する壁パネル側に向かうほど、透光カバー１２の側辺部１２ｃは入浴者の視野から外れていくので、より眩しさが抑制される。また、透光カバー１２の側辺部１２ｃは、直線状であり、ほぼ一様に明るいため、入浴者が天井部分を含めて浴室内部を眺めたときに、透光カバー１２に対する違和感が少なく、不快な印象を受け難い。
【００４０】
図８は、照明１による室内への光の出射を説明するための模式図である。光源１３から出射された光のうち下方へ向かう光は、透光カバー１２を通過して室内を照らす。光源１３から出射された光のうち側方へ向かう光は、第１内側面１４ａおよび第２内側面１４ｂによって反射される。
【００４１】
図８に矢印Ａで示すように、第１内側面１４ａに当たった光は、第１内側面１４ａが側壁部２２の高さ方向の断面において内側に向って凹状に湾曲しており、室内側へ向かって反射されるようにしてある。また、図８に矢印Ｂで示すように、第２内側面１４ｂに当たった光は、第２内側面１４ｂが側壁部２２の高さ方向の断面において内側に向って凸状に湾曲しており、室内側へ向かって反射されるようにしてある。
【００４２】
光源１３から出射された光のうち側方へ向かう光は、第１内側面１４ａおよび第２内側面１４ｂによって反射され、室内側へ向かい、透光カバー１２を通して室内を照らす。このため、照明１は、浴室ユニット１００の室内を、照明１が配設された隅部から遠い位置まで明るく照らすことができる。
【００４３】
また、光源１３を第１内側面１４ａの側に寄せて配設することもできる。この場合、光源１３から浴室ユニット１００の室内側を見込む画角は、光出射部１１ａの縁部によって遮られるが、光源１３を第１内側面１４ａの側に寄せて配設することによって、室内側を見込む画角が広くなる。このため、照明１は、浴室ユニット１００の室内を、照明１が配設された隅部から遠い位置までより明るく照らすことができる。
【００４４】
側壁部２２は、高さ方向に交差する断面が三角形状であり、天井パネル９５の隅部に配置し易い構造となっている。第１側壁部２２ａは、略直角に屈曲しており、天井の隅部から垂下する壁パネル９２および隣接する壁パネル側に位置する。また、第２側壁部２２ｂは室内側に位置しており、第２側壁部２２ｂに対応する透光カバー１２の側辺部１２ｃは、直線状であり、ほぼ一様に明るくなる。
【００４５】
第１内側面１４ａは、側壁部２２の高さ方向の中途部から光出射部１１ａ側が、側壁部２２の高さ方向の断面において、内側に向って凹状に湾曲している。第１内側面１４ａは、側壁部２２の高さ方向の中途部から底部２１側が、側壁部２２の高さ方向の断面において、底部２１に対して直角からやや外側に開いた直線状となっている。このため、照明本体１１は、底部２１側の内部空間が大きくなり、温度上昇を抑制することができる。
【００４６】
図９は、照明１に保温カバー３３を被せた状態を説明するための模式図である。保温カバー３３は、寒冷地等で浴室ユニット１００全体を保温するために、天井裏等において浴室ユニット１００全体を覆うように被せられる。天井裏を覆う保温カバー３３は、照明１にも被せられる。保温カバー３３は、保護壁２４に当接するため、保護壁２４内部に空間が形成される。電気接続部２１ａおよび電気供給線３２は、光源１３での発熱が伝導して温度が上昇するが、保温カバー３３を被せた状態でも保護壁２４内部に空間が形成されるので、該空間で放熱され、過度の温度上昇を抑制することができる。
【００４７】
次に、実施形態の照明１の特徴を説明する。
本発明の実施形態の照明１は、照明本体１１が天井パネル９５の隅部分に埋め込まれて浴室ユニット１００の室内を照らす。照明本体１１は、光源１３を囲繞する側壁部２２を有し、側壁部２２の周縁部が開口し、光源１３からの光を側壁部の内側面１４で反射して出射する。内側面１４は、天井パネル９５の隅部分から垂下する壁パネル９２および隣接する壁パネルの側に位置する第１内側面１４ａを有する。第１内側面１４ａは、側壁部２２の高さ方向の断面において内側に向って凹状に湾曲している。これにより、照明１は、浴室ユニット１００の室内を、照明１が配設された隅部から遠い位置まで明るく照らすことができる。
【００４８】
また照明１は、内側面１４が室内の側に位置する第２内側面１４ｂを有する。第２内側面１４ｂは、側壁部２２の高さ方向の断面において内側に向って凸状に湾曲している。これにより、照明１は、浴室ユニット１００の室内を、照明１が配設された隅部から遠い位置までより明るく照らすことができる。
【００４９】
また照明１は、光源１３が第１内側面１４ａの側に寄せて配設されている。これにより、照明１は、浴室ユニット１００の室内を、照明１が配設された隅部から遠い位置までより明るく照らすことができる。
【００５０】
また照明１は、側壁部２２の高さ方向に交差する断面が三角形状であるため、天井パネル９５の隅部に配置し易い構造となっている。
【００５１】
また照明１は、凹状の第１内側面１４ａが側壁部２２の高さ方向の中途部から光出射部１１ａとなる周縁部に亘って形成されている。これにより、側壁部２２の高さ方向の中途部から底部２１側における照明本体１１の内部空間を大きくすることができ、温度上昇を抑制することができる。
【００５２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５３】
１  照明、  １１  照明本体、  １３  光源、  １４  内側面、
１４ａ  第１内側面、  １４ｂ  第２内側面、  ２２  側壁部、
９２  壁パネル（壁）、  ９５  天井パネル（天井）。
【図１】
2018073697.tif 000003
【図２】
2018073697.tif 000004
【図３】
2018073697.tif 000005
【図４】
2018073697.tif 000006
【図５】
2018073697.tif 000007
【図６】
2018073697.tif 000008
【図７】
2018073697.tif 000009
【図８】
2018073697.tif 000010
【図９】
2018073697.tif 000011